(57)【要約】【課題】家具等を壁面に間隙なく当接することができる幅木構造を提供する。【解決手段】石膏ボード２ａが固定された壁パネル２とフローリング３ａが固定された床パネル３との境界部に幅木１が固定される幅木構造において、この幅木１はその上端面に石膏ボード２ａが当接するとともに、壁パネル２及び床パネル３に当接しており、幅木１の下端前面には第１切欠部１ａが形成されており、この第１切欠部１ａに前記３ａの端部が挿入されており、幅木１の前面は前記石膏ボード２ａの表面と面一になっていることを特徴としている。【選択図】図１
2006132096.tif 000002
【特許請求の範囲】
【請求項１】
壁材が固定された壁下地と床材が固定された床下地との境界部に幅木が固定される幅木構造において、
前記幅木はその上端面に前記壁材が当接するとともに、前記壁下地及び床下地に当接しており、
前記幅木の下端前面には第１切欠部が形成されており、この第１切欠部に前記床材の端部が挿入されており、
前記幅木の前面は前記壁材の表面と面一になっていることを特徴とする幅木構造。
【請求項２】
前記幅木の上端前面に第２切欠部が形成されていることを特徴とする請求項１に記載の幅木構造。
【請求項３】
前記第２切欠部には蓋部材が設けられていることを特徴とする請求項２に記載の幅木構造。
【請求項４】
前記幅木の少なくとも前記壁下地に当接する部分は、不燃材からなることを特徴とする請求項１〜３のいずれか一項に記載の幅木構造。
【請求項５】
前記幅木は、前面部を形成する幅木前面部と、背面部を形成する幅木背面部とを備え、
前記幅木背面部は不燃材からなることを特徴とする請求項１〜４のいずれか一項に記載の幅木構造。
【発明の詳細な説明】
【技術分野】
【０００１】
本発明は、壁下地に固定された壁材と床下地に固定された床材との境界部に固定される幅木構造に関する。
【背景技術】
【０００２】
従来より、壁材と床材とを施工した後、両者の接合部を隠すように接合部に沿って平板状の幅木を固定する幅木が知られている（例えば、特許文献１参照）。この幅木は、壁材と床材との間に間隙が生じるのを防ぎ、室内の密閉性を向上させると共に美観を保持させる機能を持つ。
【特許文献１】特開２０００−２２０２８５号公報
【発明の開示】
【発明が解決しようとする課題】
【０００３】
しかしながら、幅木は壁面から突出しているため、室内に設置される家具等は、壁面に当接させることができず、壁面と家具等との間に間隙が生じてしまうという問題があった。
【０００４】
本発明の課題は、家具等を壁面に間隙なく当接することができる幅木構造を提供することである。
【課題を解決するための手段】
【０００５】
以上の課題を解決するため、請求項１に記載の発明は、例えば図１に示すように、壁材（例えば、石膏ボード２ａ）が固定された壁下地（例えば、壁パネル２）と床材（例えば、フローリング３ａ）が固定された床下地（例えば、床パネル３）との境界部に幅木１が固定される幅木構造において、
前記幅木１はその上端面に前記壁材（例えば、石膏ボード２ａ）が当接するとともに、前記壁下地（例えば、壁パネル２）及び床下地（例えば、床パネル３）に当接しており、
前記幅木１の下端前面には第１切欠部１ａが形成されており、この第１切欠部１ａに前記床材（例えば、フローリング３ａ）の端部が挿入されており、
前記幅木１の前面は前記壁材（例えば、石膏ボード２ａ）の表面と面一になっていることを特徴としている。
【０００６】
請求項１に記載の発明によれば、幅木１は壁下地（例えば、壁パネル２）に当接するとともに、幅木１の前面と壁下地（例えば、壁パネル２）に固定された壁材（例えば、石膏ボード２ａ）の表面とが面一になっているため、壁面に家具等を間隙なく当接させることができる。また、幅木１は床下地（例えば、床パネル３）に当接するとともに、幅木１の下端前面には第１切欠部１ａが形成されており、この第１切欠部１ａには床下地（例えば、床パネル３）に固定された床材（例えば、フローリング３ａ）が挿入された状態となっている。よって、幅木１と床材（例えば、フローリング３ａ）の境界部の納まりが良くなり、美観の保持を図ることができる。
【０００７】
請求項２に記載の発明は、例えば図１に示すように、前記幅木１の上端前面に第２切欠部１ｂが形成されていることを特徴としている。
【０００８】
請求項２に記載の発明によれば、幅木１の上端前面に第２切欠部１ｂが形成されているため、幅木１を釘等の止着材８で壁下地（例えば、壁パネル２）に固定する場合、止着材８を第２切欠部１ｂから打ち込むことで、止着材８の頭部が幅木１の前面に露出するのを防ぐことができるため、美観の保持を図ることができる。
【０００９】
請求項３に記載の発明は、例えば図１に示すように、前記第２切欠部１ｂには蓋部材６が設けられていることを特徴としている。
【００１０】
請求項３に記載の発明によれば、幅木１に形成された第２切欠部１ｂには蓋部材６が設けられるため、第２切欠部１ｂに電気コード７や配線コード等を挿入したうえで、蓋部材６を被せることにより、電気コード７等が露出することを防ぐことができる。
【００１１】
請求項４に記載の発明は、例えば図２に示すように、前記幅木１の少なくとも前記壁下地（例えば、壁パネル２）に当接する部分は、不燃材からなることを特徴としている。
【００１２】
請求項４に記載の発明によれば、幅木１の少なくとも壁下地（例えば、壁パネル２）に当接する部分は不燃材からなるため、火災の時、壁下地（例えば、壁パネル２）の幅木１が当接する部分から、火が燃え広がることを防ぐことができる。
【００１３】
請求項５に記載の発明は、例えば図２に示すように、前記幅木１は、前面部を形成する幅木前面部４と、背面部を形成する幅木背面部５とを備え、
前記幅木背面部５は不燃材からなることを特徴としている。
【００１４】
請求項５に記載の発明によれば、幅木１は前面部を形成する幅木前面部４と、背面部を形成する幅木背面部５を接合するだけで得られるため、製造が容易である。
また、幅木背面部５は不燃材からなるため、火災の時、壁下地（例えば、壁パネル２）の幅木背面部５が当接する部分から、火が燃え広がることを防ぐことができる。
【発明の効果】
【００１５】
本発明によれば、幅木１の前面と壁下地（例えば、壁パネル２）に固定された壁材（例えば、石膏ボード２ａ）の表面とが面一になっているため、壁面に家具等を間隙なく当接させることができる。また、幅木１と床材（例えば、フローリング３ａ）の境界部の納まりが良くなり、美観の保持を図ることができる。
【発明を実施するための最良の形態】
【００１６】
以下、図を参照して本発明を実施するための最良の形態を詳細に説明する。
図１は、本発明に係る幅木１を、石膏ボード２ａが固定された壁パネル２と、フローリング３ａが固定された床パネル３との境界部に沿って固定した状態を示している。
【００１７】
図１に示すように、幅木１はその上端面に石膏ボード２ａが当接するとともに、壁パネル２及び床パネル３に当接している。幅木１の下端前面には段状の第１切欠部１ａが形成されており、幅木１の上端前面には同じく段状の第２切欠部１ｂが形成されている。また、幅木１の前面は、石膏ボード２ａの表面と面一になっている。
【００１８】
図１に示すように、第１切欠部１ａにはフローリング３ａの端部が挿入されており、フローリング３ａの上面と幅木１が当接している。
【００１９】
図１に示すように、第２切欠部１ｂには例えば断面略コ字型形状の蓋部材６が設けられており、その内側には、電気コード７が幅木１の長手方向に挿通されている。この、蓋部材６は、例えば合成樹脂から形成されたものである。
【００２０】
図２に示すように、幅木１は、前面部を形成する例えば合板からなる幅木前面部４と、背面部を形成する例えば石膏ボード等の不燃材からなる幅木背面部５とを備えており、幅木背面部５に幅木前面部４を接着剤などで固定することによって形成されている。これらの幅木前面部４及び幅木背面部５はともに略直方体状をしており、幅木１の下端前面には第１切欠部１ａ、上端前面には第２切欠部１ｂが形成されている。
【００２１】
次に、以上のように構成される幅木構造の施工手順について詳細に説明する。
まず、略直方体状の幅木背面部５に、略直方体状かつ幅木背面部５よりも鉛直方向に短尺の幅木前面部４を接着剤等で固定し、幅木１を形成する。この時、幅木１の下端前面に第１切欠部１ａ、上端前面に第２切欠部１ｂが形成されるようにする。
【００２２】
次に、幅木背面部５と略同じ厚さのスペーサを、壁パネル２及び床パネル３に当接させて設置することで、幅木１が固定される空間を確保する。その後、床パネル３の上にフローリング３ａを固定していく。
【００２３】
フローリング３ａを固定し終えたらスペーサを取り除き、このスペーサが設置されていた個所に幅木１を差し込む。幅木１は、壁パネル２及び床パネル３に当接させるとともに、第１切欠部１ａにフローリング３ａの端部を挿入させる状態とし、第２切欠部１ｂから壁パネル２へ釘等の止着材８を打ち込み、幅木１を壁パネル２に固定する。
【００２４】
なお、スペーサが設置されていた個所に幅木背面部５のみを差し込んだ後、幅木前面部４を、フローリング３ａに当接させながら幅木背面部５に固定して幅木１を形成してもよい。また、フローリング３ａを床パネル３に固定する際に、スペーサを用いる代わりに幅木背面部５を壁パネル２及び床パネル３に当接させて設置してもよい。
【００２５】
続いて、石膏ボード２ａを、幅木１の上端面に当接させつつ、壁パネル２に固定する。その後、電気コード７を第２切欠部１ｂに収納した状態で、第２切欠部１ｂに蓋部材６を嵌合する。
なお、石膏ボード２ａを壁パネル２に固定した後に、幅木１を壁パネル２、床パネル３、石膏ボード２ａに当接させて固定してもよい。
【００２６】
以上の実施形態によれば、幅木１は壁パネル２に当接するとともに、幅木１の前面と壁パネル２に固定された石膏ボード２ａの表面とが面一になっているため、壁面に家具等を間隙なく当接させることができる。また、幅木１は床パネル３に当接するとともに、幅木１の下端前面には第１切欠部１ａが形成されており、この第１切欠部１ａには床パネル３に固定されたフローリング３ａが挿入された状態となっている。よって、幅木１とフローリング３ａの境界部の納まりが良くなり、美観の保持を図ることができる。
【００２７】
また、幅木１の上端前面に第２切欠部１ｂが形成されているため、幅木１を釘等の止着材８で壁パネル２に固定する場合、止着材８を第２切欠部１ｂより打ち込むことで、止着材８の頭部が幅木１の前面に露出するのを防ぐことができるため、美観の保持を図ることができる。
【００２８】
さらに、幅木１に形成された第２切欠部１ｂには蓋部材６が設けられるため、第２切欠部１ｂに電気コード７等を挿入したうえで、蓋部材６を被せることにより、電気コード７等が露出することを防ぐことができる。
【００２９】
また、幅木１は前面部を形成する幅木前面部４を、背面部を形成する幅木背面部５に固定するだけで得られるため、製造が容易である。さらに、この幅木背面部５は不燃材からなるため、火災の時、壁パネル２の幅木背面部５が当接する部分から、火が燃え広がることを防ぐことができる。
【００３０】
なお、以上の実施形態においては、幅木背面部５を石膏ボードとしたが、本発明はこれに限定されるものではなく、木片セメント板やスレート板など、不燃材であれば他の部材でも良い。
また、蓋部材６を合成樹脂から成形したものとしたが、本発明はこれに限定されるものではなく、木材、金属製等の他の素材でもよい。
【図面の簡単な説明】
【００３１】
【図１】本発明を適用した幅木の実施形態の構成を示す断面図である。
【図２】幅木の分解斜視図である。
【符号の説明】
【００３２】
１  幅木
１ａ  第１切欠部
１ｂ  第２切欠部
２  壁パネル
２ａ  石膏ボード
３  床パネル
３ａ  フローリング
４  幅木前面部
５  幅木背面部
６  蓋部材
【図１】
2006132096.tif 000003
【図２】
2006132096.tif 000004